(57)【要約】【課題】  特別のキーを付加することなく表示部における表示内容の制御を行うことが可能な携帯通信端末を得る。【解決手段】  表示部３を有する第一筐体１と、キー操作部を有する第二筐体２と、これら第一及び第二筐体１，２を、互いに直交する軸を中心に回動自在軸支する二軸ヒンジ部５とを含む携帯通信端末において、二軸ヒンジ部５の回転状態を、キー操作の代替として使用する。すなわち、矢印Ａ方向にヒンジ部５が回転した時、それに応じて表示部３の表示画面を、図の左方向にスクロール制御し、また逆に回転した時には、右方向にスクロール制御する。これにより、キー操作部が隠れた状態でも表示画面の制御ができるので、特別のキーがなくても良くなる。【選択図】      図２
2006197044.tif 000002
【特許請求の範囲】
【請求項１】
表示部を有する第一筐体と、操作部を有する第二筐体と、前記第一及び第二筐体を互いに回動自在に軸支するヒンジ部とを含む携帯通信端末であって、前記ヒンジ部の回転状態をキー操作の代替としてなることを特徴とする携帯通信端末。
【請求項２】
前記ヒンジ部は、前記第一及び第二筐体を互いに直交する軸を中心に回動自在に軸支する二軸ヒンジ部であり、前記第一及び第二筐体が重ね合わされた状態でかつ前記表示部がユーザと対向する位置にある場合に、前記ヒンジ部の回転状態に応じて前記表示部の制御をなす制御手段を含むことを特徴とする請求項１記載の携帯通信端末。
【請求項３】
前記制御手段は、前記ヒンジ部の回転方向に応じて前記表示部のスクロール制御をなすことを特徴とする請求項２記載の携帯通信端末。
【請求項４】
前記制御手段は、前記ヒンジ部の回転角に応じて前記表示部のスクロール制御をなすことを特徴とする請求項２または３記載の携帯通信端末。
【請求項５】
前記制御手段は、前記ヒンジ部の回転速度に応じて前記表示部のスクロール制御をなすことを特徴とする請求項２または３記載の携帯通信端末。
【発明の詳細な説明】
【技術分野】
【０００１】
本発明は携帯通信端末に関し、特に表示部を有する第一筐体と操作部を有する第二筐体とが、二軸ヒンジ部によつて互いに直交する軸を中心に回動自在に軸支された構造の携帯通信端末に関するものである。
【背景技術】
【０００２】
図５はこの種の携帯通信端末を説明するための外観図であり、（ａ）に示すように、基本的に、この種の携帯通信端末は、ＬＣＤ表示部３を有する第一筐体１と、キー操作部４を有する第二筐体２と、これら第一及び第二筐体を互いに回動自在に軸支する二軸ヒンジ部５とからなる。この種の二軸ヒンジ機構を有する携帯通信端末については、特許文献１，２，３などに開示されており、周知である。なお、６は第二筐体２の側面に設けられた側面操作キーを示しており、その用途は後述する。
【０００３】
二軸ヒンジ部５は、図示せぬ互いに直交する二つの回動軸を有しており、一つの回動軸を中心に、第一筐体１が第二筐体２に対して開閉自在となる。この場合の開状態の平面図を（ａ）に示している。この状態において、表示部３を有する第一筐体１を図面の平面内で回動させることができ、その様子を（ｂ），（ｃ）に示す。更に、第一筐体１を回動させると、（ｄ）のように、第一及び第二筐体同士が重なり合って、表示部３のみがユーザと対向するようになる。
【０００４】
この（ｄ）の状態で、ユーザは表示部３の表示内容を見ることができるが、その表示内容をスクロールする必要がある場合に、ユーザは側面操作キー６を使用することになる。
【０００５】
【特許文献１】特開平１１−２１５２１８号公報
【特許文献２】特開２００４−１２８８５０号公報
【特許文献３】特開２００２−１３５３８０号公報
【発明の開示】
【発明が解決しようとする課題】
【０００６】
このように、第一及び第二筐体同士が重なり合って、表示部３のみがユーザと対向するような場合に、表示内容をスクロールするためのキーを、筐体側面などに設けることが必要となり、よって筐体サイズへの影響や、筐体デザインの自由度が低下してしまうという問題点がある。
【０００７】
本発明の目的は、特別のキーを付加することなく表示部における表示内容の制御を行うことが可能な携帯通信端末を提供することである。
【課題を解決するための手段】
【０００８】
本発明による携帯通信端末は、表示部を有する第一筐体と、操作部を有する第二筐体と、前記第一及び第二筐体を互いに回動自在に軸支するヒンジ部とを含む携帯通信端末であって、前記ヒンジ部の回転状態をキー操作の代替としてなることを特徴とする。
【０００９】
そして、前記ヒンジ部は、前記第一及び第二筐体を互いに直交する軸を中心に回動自在軸支する二軸ヒンジ部であり、前記第一及び第二筐体が重ね合わされた状態でかつ前記表示部がユーザと対向する位置にある場合に、前記ヒンジ部の回転状態に応じて前記表示部の制御をなす制御手段を含むことを特徴とする。
【００１０】
そして、前記制御手段は、前記ヒンジ部の回転方向に応じて前記表示部のスクロール制御をなすことを特徴とし、また、前記制御手段は、前記ヒンジ部の回転角に応じて前記表示部のスクロール制御をなすことを特徴とし、更に、前記制御手段は、前記ヒンジ部の回転速度に応じて前記表示部のスクロール制御をなすことを特徴とする。
【発明の効果】
【００１１】
本発明によれば、二軸ヒンジ機構を採用した携帯通信端末において、このヒンジ機構の回転状態を操作キーの代替として使用するようにしたので、筐体同士が重なった場合にも、このヒンジ機構の回転状態により表示部の表示制御が可能となり、よって筐体に操作キーを設ける必要がなくなり、筐体の小形化、筐体の設計の自由度の向上及びユーザの操作性の向上が図れ、またコスト的にも削減が可能となるという効果がある。
【発明を実施するための最良の形態】
【００１２】
以下に、本発明の実施の形態について図面を参照しつつ説明する。図１は本発明の実施の形態を示す外観図であり、図５と同等部分は同一符号にて示している。本実施の形態における携帯通信端末の構造は、図５の側面操作キー６がないこと以外は図５と同等であり、第一及び第二の筐体１，２及び二軸ヒンジ部５との関係は図５の例と同じである。図１においては、図５（ｄ）と同様に、第一筐体１同士が重なり合って、表示部３のみがユーザと対向している状態を示している。
【００１３】
この状態において、図２に示すように、ユーザによって、第一筐体１が第二筐体２に対して、矢印Ａに示す方向に、微量に回転されたとき、二軸ヒンジ部５の回転方向を検出して、表示部３に表示されている内容を、当該方向、すなわち図の左方向にスクロールさせるよう制御する。
【００１４】
また、図３に示すように、ユーザによって、第一筐体１が第二筐体２に対して、矢印Ｂに示す方向に、微量に回転されたとき、この回転方向を検出して、表示部３に表示されている内容を、当該方向、すなわち図の右方向にスクロールさせるよう制御する。
【００１５】
こうすることにより、本来のキー操作部などからのキー操作なしに、表示部３の表示内容の制御が可能となって表示情報の閲覧が自在となる。従って、図５に示したように、筐体側面などに特別の操作キー６を設ける必要が全くなくなるのである。
【００１６】
また、他の例として、ヒンジ部５における回動角に応じて、表示画面のスクロール速度の制御を行うようにすることも考えられる。すなわち、回動角が大なる場合には、スクロール速度を早くし、回動角が小なる場合には、スクロール速度を遅くするのである。また、ヒンジ部５の回転速度の大小によってスクロール速度を制御することも考えられる。
【００１７】
図４は本発明の実施の形態の機能ブロック図であり、アンテナを介して通信をなす無線部７と、表示部３と、キー操作部４と、二軸ヒンジ部５の回転状態を検出するヒンジ部回転検出部８と、各種データを格納するメモリ９と、これら各部の制御をなすＣＰＵ１０と、ＣＰＵ１０の制御動作を予めプログラムとして格納したＲＯＭ１１とからなる。
【図面の簡単な説明】
【００１８】
【図１】本発明の実施の形態の外観図である。
【図２】本発明の実施の形態における一状態例を示す外観図である。
【図３】本発明の実施の形態における他の状態例を示す外観図である。
【図４】本発明の実施の形態の概略機能ブロック図である。
【図５】従来の携帯通信端末の例を示す外観図である。
【符号の説明】
【００１９】
１  第一筐体
２  第二筐体
３  表示部
４  キー操作部
５  二軸ヒンジ部
７  無線部
８  ヒンジ部回転検出部
９  メモリ
１０  ＣＰＵ
１１  ＲＯＭ
【図１】
2006197044.tif 000003
【図２】
2006197044.tif 000004
【図３】
2006197044.tif 000005
【図４】
2006197044.tif 000006
【図５】
2006197044.tif 000007